【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
記録ヘッドと記録媒体とを第１方向と直交する第２方向について相対移動させて、記録媒体に形成されるテスト画像であって、
Ｎを１以上の整数として、前記記録ヘッドに具備される複数の記録素子を前記第１方向に投影させた投影記録素子群において、Ｎ個おきに選択された複数の記録素子を第１記録素子とし、前記第１記録素子として非選択の記録素子を第２記録素子として、前記第２記録素子の記録領域に第２入力階調値に基づき前記第２方向に予め決められた長さを有する１段目のパターンを形成させ、前記第２方向における記録位置を順次変え、かつ、前記第１記録素子及び前記第２記録素子を順次切り換えて、２段目からＮ＋１段目のパターンを形成させる入力データに基づいて形成されたテスト画像。
【請求項２】
記録ヘッドと記録媒体とを第１方向と直交する第２方向について相対移動させて、記録媒体にテスト画像を形成するテスト画像形成システムであって、
Ｎを１以上の整数として、前記記録ヘッドに具備される複数の記録素子を前記第１方向に投影させた投影記録素子群において、Ｎ個おきに選択された複数の記録素子を第１記録素子とし、前記第１記録素子として非選択の記録素子を第２記録素子として、前記第２記録素子の記録領域に第２入力階調値に基づき前記第２方向に予め決められた長さを有する１段目のパターンを形成させ、前記第２方向における記録位置を順次変え、かつ、前記第１記録素子及び前記第２記録素子を順次切り換えて、２段目からＮ＋１段目のパターンを形成させる入力データを取得する入力データ取得部と、
前記取得された入力データに基づいてテスト画像を形成するテスト画像形成部と、
を備えたテスト画像形成システム。
【請求項３】
前記入力データ取得部は、前記第１記録素子の記録位置に対して、前記第２入力階調値未満の第１入力階調値に基づく罫線部を形成させる入力データを取得する請求項２に記載のテスト画像形成システム。
【請求項４】
前記入力データ取得部は、前記第１入力階調値を非記録に対応する入力階調値とする入力データを取得する請求項３に記載のテスト画像形成システム。
【請求項５】
前記入力データ取得部は、前記記録ヘッドとしてインクジェット方式の記録ヘッドを適用してテスト画像を形成する場合において、前記インクジェット方式の記録ヘッドの着弾干渉の状態に対応して、前記複数の第１記録素子の間隔数Ｎが決められる入力データを取得する請求項２から４のいずれか一項に記載のテスト画像形成システム。
【請求項６】
前記入力データ取得部は、前記記録ヘッドとしてインクジェット方式の記録ヘッドを適用してテスト画像を形成する場合において、少なくとも前記第１記録素子の記録位置に隣接する前記第２記録素子の記録位置の入力階調値を、前記第２記録素子の記録位置における標準の入力階調値に対して減少させた入力データを取得する請求項２から５のいずれか一項に記載のテスト画像形成システム。
【請求項７】
前記入力データ取得部は、前記記録ヘッドとしてインクジェット方式の記録ヘッドを適用してテスト画像を形成する場合において、前記第１記録素子の記録位置と隣接する複数の第２記録素子の記録位置における入力階調値を、前記第２記録素子の記録位置における標準の入力階調値に対して減少させた入力データを取得する請求項２から５のいずれか一項に記載のテスト画像形成システム。
【請求項８】
前記記録ヘッドとしてインクジェット方式の記録ヘッドを適用してテスト画像を形成する場合において、少なくとも前記第１記録素子の記録位置に隣接する前記第２記録素子の記録位置におけるインク量を、標準のインク量に対して減少させるインク量調整処理部を備えた請求項２から４のいずれか一項に記載のテスト画像形成システム。
【請求項９】
前記記録ヘッドとしてインクジェット方式の記録ヘッドを適用してテスト画像を形成する場合において、前記第１記録素子の記録位置に隣接する前記複数の第２記録素子の記録位置におけるインク量を、標準のインク量に対して減少させるインク量調整処理部を備えた請求項２から４のいずれか一項に記載のテスト画像形成システム。
【請求項１０】
記録ヘッドと記録媒体とを第１方向と直交する第２方向について相対移動させて、記録媒体にテスト画像を形成するテスト画像形成方法であって、
Ｎを１以上の整数として、前記記録ヘッドに具備される複数の記録素子を前記第１方向に投影させた投影記録素子群において、Ｎ個おきに選択された複数の記録素子を第１記録素子とし、前記第１記録素子として非選択の記録素子を第２記録素子として、前記第２記録素子の記録領域に第２入力階調値に基づき前記第２方向に予め決められた長さを有する１段目のパターンを形成させ、前記第２方向における記録位置を順次変え、かつ、前記第１記録素子及び前記第２記録素子を順次切り換えて、２段目からＮ＋１段目のパターンを形成させる入力データを取得する入力データ取得工程と、
前記取得された入力データに基づいてテスト画像を形成するテスト画像形成工程と、
を含むテスト画像形成方法。
【請求項１１】
記録ヘッドと記録媒体とを第１方向と直交する第２方向について相対移動させて、記録媒体にテスト画像を形成するテスト画像形成プログラムであって、
コンピュータを、Ｎを１以上の整数として、前記記録ヘッドに具備される複数の記録素子を前記第１方向に投影させた投影記録素子群において、Ｎ個おきに選択された複数の記録素子を第１記録素子とし、前記第１記録素子として非選択の記録素子を第２記録素子として、前記第２記録素子の記録領域に第２入力階調値に基づき前記第２方向に予め決められた長さを有する１段目のパターンを形成させ、前記第２方向における記録位置を順次変え、かつ、前記第１記録素子及び前記第２記録素子を順次切り換えて、２段目からＮ＋１段目のパターンを形成させる入力データを取得する入力データ取得手段、
前記取得された入力データに基づいてテスト画像を形成するテスト画像形成手段、として機能させるテスト画像形成プログラム。
【請求項１２】
コンピュータが読取可能な記憶媒体であって、記録ヘッドと記録媒体とを第１方向と直交する第２方向について相対移動させて、記録媒体にテスト画像を形成するテスト画像形成方法を制御するテスト画像形成プログラムが記憶される記録媒体であり、
コンピュータを、Ｎを１以上の整数として、前記記録ヘッドに具備される複数の記録素子を前記第１方向に投影させた投影記録素子群において、Ｎ個おきに選択された複数の記録素子を第１記録素子とし、前記第１記録素子として非選択の記録素子を第２記録素子として、前記第２記録素子の記録領域に第２入力階調値に基づき前記第２方向に予め決められた長さを有する１段目のパターンを形成させ、前記第２方向における記録位置を順次変え、かつ、前記第１記録素子及び前記第２記録素子を順次切り換えて、２段目からＮ＋１段目のパターンを形成させる入力データを取得する入力データ取得手段、
前記取得された入力データに基づいてテスト画像を形成するテスト画像形成手段、として機能させるテスト画像形成プログラムが記憶される記憶媒体。
【請求項１３】
記録ヘッドと記録媒体とを第１方向と直交する第２方向について相対移動させて、記録媒体に形成されるテスト画像が記憶される記憶媒体であって、
Ｎを１以上の整数として、前記記録ヘッドに具備される複数の記録素子を前記第１方向に投影させた投影記録素子群において、Ｎ個おきに選択された複数の記録素子を第１記録素子とし、前記第１記録素子として非選択の記録素子を第２記録素子として、前記第２記録素子の記録領域に第２入力階調値に基づき前記第２方向に予め決められた長さを有する１段目のパターンを形成させ、前記第２方向における記録位置を順次変え、かつ、前記第１記録素子及び前記第２記録素子を順次切り換えて、２段目からＮ＋１段目のパターンを形成させる入力データに基づいて形成されたテスト画像が記憶される、コンピュータが読取可能な記憶媒体。
【請求項１４】
記録ヘッドと記録媒体とを第１方向と直交する第２方向について相対移動させて形成されたテスト画像であって、Ｎを１以上の整数として、前記記録ヘッドに具備される複数の記録素子を前記第１方向に投影させた投影記録素子群において、Ｎ個おきに選択された複数の記録素子を第１記録素子とし、前記第１記録素子として非選択の記録素子を第２記録素子として、前記第２記録素子の記録領域に第２入力階調値に基づき前記第２方向に予め決められた長さを有する１段目のパターンを形成させ、前記第２方向における記録位置を順次変え、かつ、前記第１記録素子及び前記第２記録素子を順次切り換えて、２段目からＮ＋１段目のパターンを形成させる入力データに基づいて生成されたテスト画像、又は前記テスト画像の読取データを取得するテスト画像取得部と、
前記取得されたテスト画像を解析して、前記記録ヘッドの異常記録素子を検出する解析部と、
を備えた異常記録素子検出システム。
【請求項１５】
前記解析部は、前記テスト画像における前記第２記録素子の記録領域から、前記第２入力階調値に対応する第２濃度値未満の濃度を有する低濃度位置を抽出して、前記抽出された低濃度位置の位置に基づいて異常記録素子が含まれると見込まれる複数の記録素子を特定する請求項１４に記載の異常記録素子検出システム。
【請求項１６】
前記解析部は、前記テスト画像における前記第２記録素子の記録領域から、前記第２入力階調値に対応する第２濃度値を超える濃度を有する高濃度位置を抽出して、前記抽出された高濃度位置の位置に基づいて異常記録素子が含まれると見込まれる複数の記録素子を特定する請求項１４に記載の異常記録素子検出システム。
【請求項１７】
前記解析部は、異常記録が認められない段を特定し、前記異常記録素子が含まれると見込まれる複数の記録素子の中から前記特定された段に対応する記録素子を異常記録素子として特定する請求項１４から１６のいずれか一項に記載の異常記録素子検出システム。
【請求項１８】
前記解析部は、前記低濃度位置の間隔が一定の段を異常が認められない段として特定する請求項１５に記載の異常記録素子検出システム。
【請求項１９】
前記解析部は、前記高濃度位置が欠落する段であり、前記第２入力階調値に対応する第２濃度値未満の濃度を有する低濃度位置の間隔が一定の段を異常が認められない段として特定する請求項１６に記載の異常記録素子検出システム。
【請求項２０】
前記解析部は、前記取得されたテスト画像の読取データに基づいて、前記テスト画像を構成する段ごとに読取位置と読取信号値との関係を表す検出プロファイルを生成し、
予め取得されている基準となる基準プロファイルとの違いが認められない前記検出プロファイルの段を、前記検出プロファイルにおける異常が認められない段として特定する請求項１７に記載の異常記録素子検出システム。
【請求項２１】
前記基準プロファイルは、異常記録素子が不存在の記録ヘッドを用いて記録されたテスト画像の読取データから生成される請求項２０に記載の異常記録素子検出システム。
【請求項２２】
前記基準プロファイルは、テスト画像の読取データから生成された前記検出プロファイルにおける正常記録素子によって記録された部分を抽出し、前記抽出された部分の複写を生成し、前記抽出された部分の複写をつなぎ合わせて生成される請求項２０に記載の異常記録素子検出システム。
【請求項２３】
前記テスト画像取得部は、前記第１記録素子の記録領域及び前記第２記録素子の記録領域に第３入力階調値に対応する第３濃度値を有する均一濃度部を含むテスト画像を取得し、
前記解析部は、前記均一濃度部の解析結果に基づいて異常記録素子が含まれると見込まれる複数の記録素子を特定する請求項１４から２２のいずれか一項に記載の異常記録素子検出システム。
【請求項２４】
前記テスト画像取得部は、実技画像を取得し、
前記解析部は、前記取得された実技画像に基づいて異常記録素子が含まれると見込まれる複数の記録素子を特定する請求項１４から２２のいずれか一項に記載の異常記録素子検出システム。
【請求項２５】
記録ヘッドと記録媒体とを第１方向と直交する第２方向について相対移動させて形成されたテスト画像であって、Ｎを１以上の整数として、前記記録ヘッドに具備される複数の記録素子を前記第１方向に投影させた投影記録素子群において、Ｎ個おきに選択された複数の記録素子を第１記録素子とし、前記第１記録素子として非選択の記録素子を第２記録素子として、前記第２記録素子の記録領域に第２入力階調値に基づき前記第２方向に予め決められた長さを有する１段目のパターンを形成させ、前記第２方向における記録位置を順次変え、かつ、前記第１記録素子及び前記第２記録素子を順次切り換えて、２段目からＮ＋１段目のパターンを形成させる入力データに基づいて生成されたテスト画像、又は前記テスト画像の読取データを取得するテスト画像取得工程と、
前記取得されたテスト画像を解析して、前記記録ヘッドの異常記録素子を検出する解析工程と、
を含む異常記録素子検出方法。
【請求項２６】
コンピュータを、記録ヘッドと記録媒体とを第１方向と直交する第２方向について相対移動させて形成されたテスト画像であって、Ｎを１以上の整数として、前記記録ヘッドに具備される複数の記録素子を前記第１方向に投影させた投影記録素子群において、Ｎ個おきに選択された複数の記録素子を第１記録素子とし、前記第１記録素子として非選択の記録素子を第２記録素子として、前記第２記録素子の記録領域に第２入力階調値に基づき前記第２方向に予め決められた長さを有する１段目のパターンを形成させ、前記第２方向における記録位置を順次変え、かつ、前記第１記録素子及び前記第２記録素子を順次切り換えて、２段目からＮ＋１段目のパターンを形成させる入力データに基づいて生成されたテスト画像、又は前記テスト画像の読取データを取得するテスト画像取得手段、
前記取得されたテスト画像を解析して、前記記録ヘッドの異常記録素子を検出する解析手段、として機能させる異常記録素子検出プログラム。
【請求項２７】
コンピュータが読取可能な記憶媒体であって、
記録ヘッドと記録媒体とを第１方向と直交する第２方向について相対移動させて形成されたテスト画像であって、Ｎを１以上の整数として、前記記録ヘッドに具備される複数の記録素子を前記第１方向に投影させた投影記録素子群において、Ｎ個おきに選択された複数の記録素子を第１記録素子とし、前記第１記録素子として非選択の記録素子を第２記録素子として、前記第２記録素子の記録領域に第２入力階調値に基づき前記第２方向に予め決められた長さを有する１段目のパターンを形成させ、前記第２方向における記録位置を順次変え、かつ、前記第１記録素子及び前記第２記録素子を順次切り換えて、２段目からＮ＋１段目のパターンを形成させる入力データに基づいて生成されたテスト画像、又は前記テスト画像の読取データを取得するテスト画像取得手段、前記取得されたテスト画像を解析して、前記記録ヘッドの異常記録素子を検出する解析手段、として機能させる異常記録素子検出プログラムが記憶される記憶媒体。
【手続補正２】
【補正対象書類名】明細書
【補正対象項目名】００２９
【補正方法】変更
【補正の内容】
【００２９】
第９態様は、第２態様から第４態様のいずれかに記載のテスト画像形成システムにおいて、記録ヘッドとしてインクジェット方式の記録ヘッドを適用してテスト画像を形成する場合において、第１記録素子の記録位置に隣接する複数の第２記録素子の記録位置におけるインク量を、標準のインク量に対して減少させるインク量調整処理部を備えている。
【手続補正３】
【補正対象書類名】明細書
【補正対象項目名】００５５
【補正方法】変更
【補正の内容】
【００５５】
第１６態様は、第１４態様に記載の異常記録素子検出システムにおいて、解析部は、テスト画像における第２記録素子の記録領域から、第２入力階調値に対応する第２濃度値を超える濃度を有する高濃度位置を抽出して、抽出された高濃度位置の位置に基づいて異常記録素子が含まれると見込まれる複数の記録素子を特定する。